(57)【要約】【課題】初めての印刷処理時においても、確実にユーザの望んだ出力結果を得ることができる。【解決手段】簡易ＵＩが選択されたか判別する手段と、簡易ＵＩが選択されたとき、印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段と、それぞれの設定ＵＩで以前に設定した項目に戻る手段と、印刷実行する手段と、簡易ＵＩにおけるそれぞれの設定項目を記録しておき、次回の印刷時に、それぞれのＵＩを表示したときの初期値とする手段を備える。【選択図】        図１
2004342025.tif 000002
【特許請求の範囲】
【請求項１】
コンピュータに接続されたプリンタ装置で、そのコンピュータを制御する基本ソフトウエア（以下、ＯＳ）とプリンタ装置を制御するためのソフトウエア（以下、プリンタドライバ）によって、使用者がプリンタドライバのユーザインターフェース（以下、ＵＩ）を使って印刷物を出力するプリンタドライバの処理において、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段と印刷実行する手段を有することを特徴とする簡易シーケンシャルＵＩ印刷処理装置。
【請求項２】
前記、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段において、それぞれの設定ＵＩで以前に設定した項目に戻る手段をさらに具えたこと特徴とする請求項１記載の簡易シーケンシャルＵＩ印刷処理装置。
【請求項３】
前記、印刷実行する手段において、印刷を実行したときの簡易ＵＩにおけるそれぞれの設定項目を記録しておき、次回の簡易ＵＩによる印刷実行時に、それぞれのＵＩを表示したときの初期値とする手段をさらに具えたこと特徴とする請求項１又は２記載の簡易シーケンシャルＵＩ印刷処理装置。
【請求項４】
前記、印刷命令実行時に印刷品質設定ＵＩを表示する手段において、印刷命令実行時に印刷設定モード指定ＵＩを表示して簡易ＵＩが選択されたか判別する手段と、簡易ＵＩが選択されなかったとき、通常の詳細ＵＩを表示する手段をさらに具えたこと特徴とする請求項１乃至３のいずれか記載の簡易シーケンシャルＵＩ印刷処理装置。
【請求項５】
コンピュータに接続されたプリンタ装置で、そのコンピュータを制御する基本ソフトウエア（以下、ＯＳ）とプリンタ装置を制御するためのソフトウエア（以下、プリンタドライバ）によって、使用者がプリンタドライバのユーザインターフェース（以下、ＵＩ）を使って印刷物を出力するプリンタドライバの処理において、印刷命令実行時に印刷品質設定ＵＩを表示するステップと、カラー／モノクロ印刷設定ＵＩを表示するステップと、印刷用紙サイズ設定ＵＩを表示するステップと、印刷部数設定ＵＩを表示するステップと印刷実行するステップを有することを特徴とする簡易シーケンシャルＵＩ印刷処理方法。
【請求項６】
前記、印刷命令実行時に印刷品質設定ＵＩを表示するステップと、カラー／モノクロ印刷設定ＵＩを表示するステップと、印刷用紙サイズ設定ＵＩを表示するステップと、印刷部数設定ＵＩを表示するステップにおいて、それぞれの設定ＵＩで以前に設定した項目に戻るステップをさらに具えたこと特徴とする請求項５記載の簡易シーケンシャルＵＩ印刷処理方法。
【請求項７】
前記、印刷実行するステップにおいて、印刷を実行したときの簡易ＵＩにおけるそれぞれの設定項目を記録しておき、次回の簡易ＵＩによる印刷実行時に、それぞれのＵＩを表示したときの初期値とするステップをさらに具えたこと特徴とする請求項５又は６記載の簡易シーケンシャルＵＩ印刷処理方法。
【請求項８】
前記、印刷命令実行時に印刷品質設定ＵＩを表示するステップにおいて、印刷命令実行時に印刷設定モード指定ＵＩを表示して簡易ＵＩが選択されたか判別するステップと、簡易ＵＩが選択されなかったとき、通常の詳細ＵＩを表示するステップをさらに具えたこと特徴とする請求項５乃至７のいずれか記載の簡易シーケンシャルＵＩ印刷処理方法。
【請求項９】
コンピュータに接続されたプリンタ装置で、ＯＳとプリンタドライバによって、使用者がプリンタドライバのＵＩを使って印刷物を出力するプリンタドライバの処理において、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段と印刷実行する手段を有する簡易シーケンシャルＵＩ印刷処理方法制御プログラムを記録したことを特徴とする媒体。
【請求項１０】
前記、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段において、それぞれの設定ＵＩで以前に設定した項目に戻る手段をさらに具えた簡易シーケンシャルＵＩ印刷処理方法制御プログラムを記録したこと特徴とする請求項９記載の媒体。
【請求項１１】
前記、印刷実行する手段において、印刷を実行したときの簡易ＵＩにおけるそれぞれの設定項目を記録しておき、次回の簡易ＵＩによる印刷実行時に、それぞれのＵＩを表示したときの初期値とする手段をさらに具えた簡易シーケンシャルＵＩ印刷処理方法制御プログラムを記録したことを特徴とする請求項９又は１０記載の媒体。
【請求項１２】
前記、印刷命令実行時に印刷品質設定ＵＩを表示する手段において、印刷命令実行時に印刷設定モード指定ＵＩを表示して簡易ＵＩが選択されたか判別する手段と、簡易ＵＩが選択されなかったとき、通常の詳細ＵＩを表示する手段をさらに具えた簡易シーケンシャルＵＩ印刷処理方法制御プログラムを記録したこと特徴とする請求項９乃至１１のいずれか記載の媒体。
【発明の詳細な説明】
【０００１】
【発明の属する技術分野】
本発明は、パーソナルコンピュータなどの情報処理システムにおけるプリンタ装置の印刷処理方法に関し、特に簡易シーケンシャルＵＩ印刷処理装置、方法および媒体に関するものである。
【０００２】
【従来の技術】
従来の印刷処理は、プリンタなどの出力装置の多機能化に伴い、ユーザの設定によって様々な機能を利用することができる。これらの機能の設定はドライバをインストールした時にすでに初期値が設定してあり、印刷時に機能の設定を変更しなければ、初期設定の機能を使って印刷される。
【０００３】
【特許文献１】
特開２００１−４３０５１号公報
【０００４】
【発明が解決しようとする課題】
従来の印刷処理では、ユーザの指定可能な印刷に関する様々な設定を、印刷するデバイスドライバのインストール時に初期値として設定しており、ワープロなどのアプリケーションから印刷に関する詳細な設定をせずに印刷を実行すると、ユーザの望んだ出力結果を得られない場合がある。情報処理システムの初心者は、望んだ出力結果を得るために、印刷に関する多くの設定項目に関する知識を習得しなければならず、その複雑さから即座に望んだ出力結果を得られない場合があった。
【０００５】
さらに、ユーザが中級者以上レベルにおいても、以前に設定したままの状態で印刷を実行してしまい、望んだ出力結果が得られず、紙や時間を無駄にしてしまうという欠点があった。
【０００６】
本発明は上記問題点に着目して成されたものであって、初めての印刷処理時においても確実にユーザの望んだ出力結果を得ることができる簡易シーケンシャルＵＩ印刷処理装置、方法および媒体を提供することを目的としている。
【０００７】
【課題を解決するための手段】
本発明である簡易シーケンシャルＵＩ印刷処理装置、方法および媒体では、コンピュータに接続されたプリンタ装置で、ＯＳとプリンタドライバによって、使用者がプリンタドライバのＵＩを使って印刷物を出力するプリンタドライバの処理において、印刷命令実行時に印刷設定モード指定ＵＩを表示して簡易ＵＩが選択されたか判別する手段と、簡易ＵＩが選択されなかったとき、通常の詳細ＵＩを表示する手段と、簡易ＵＩが選択されたとき、印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段と、それぞれの設定ＵＩで以前に設定した項目に戻る手段と、印刷実行する手段と、印刷を実行したときの簡易ＵＩにおけるそれぞれの設定項目を記録しておき、次回の簡易ＵＩによる印刷実行時に、それぞれのＵＩを表示したときの初期値とする手段を備える。
【０００８】
上記構成を、改めて以下（１）〜（１２）に整理して示す。
【０００９】
（１）コンピュータに接続されたプリンタ装置で、そのコンピュータを制御する基本ソフトウエア（以下、ＯＳ）とプリンタ装置を制御するためのソフトウエア（以下、プリンタドライバ）によって、使用者がプリンタドライバのユーザインターフェース（以下、ＵＩ）を使って印刷物を出力するプリンタドライバの処理において、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段と印刷実行する手段を有することを特徴とする簡易シーケンシャルＵＩ印刷処理装置。
【００１０】
（２）前記、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段において、それぞれの設定ＵＩで以前に設定した項目に戻る手段をさらに具えたこと特徴とする上記（１）記載の簡易シーケンシャルＵＩ印刷処理装置。
【００１１】
（３）前記、印刷実行する手段において、印刷を実行したときの簡易ＵＩにおけるそれぞれの設定項目を記録しておき、次回の簡易ＵＩによる印刷実行時に、それぞれのＵＩを表示したときの初期値とする手段をさらに具えたこと特徴とする上記（１）又は（２）記載の簡易シーケンシャルＵＩ印刷処理装置。
【００１２】
（４）前記、印刷命令実行時に印刷品質設定ＵＩを表示する手段において、印刷命令実行時に印刷設定モード指定ＵＩを表示して簡易ＵＩが選択されたか判別する手段と、簡易ＵＩが選択されなかったとき、通常の詳細ＵＩを表示する手段をさらに具えたこと特徴とする上記（１）乃至（３）のいずれか記載の簡易シーケンシャルＵＩ印刷処理装置。
【００１３】
（５）コンピュータに接続されたプリンタ装置で、そのコンピュータを制御する基本ソフトウエア（以下、ＯＳ）とプリンタ装置を制御するためのソフトウエア（以下、プリンタドライバ）によって、使用者がプリンタドライバのユーザインターフェース（以下、ＵＩ）を使って印刷物を出力するプリンタドライバの処理において、印刷命令実行時に印刷品質設定ＵＩを表示するステップと、カラー／モノクロ印刷設定ＵＩを表示するステップと、印刷用紙サイズ設定ＵＩを表示するステップと、印刷部数設定ＵＩを表示するステップと印刷実行するステップを有することを特徴とする簡易シーケンシャルＵＩ印刷処理方法。
【００１４】
（６）前記、印刷命令実行時に印刷品質設定ＵＩを表示するステップと、カラー／モノクロ印刷設定ＵＩを表示するステップと、印刷用紙サイズ設定ＵＩを表示するステップと、印刷部数設定ＵＩを表示するステップにおいて、それぞれの設定ＵＩで以前に設定した項目に戻るステップをさらに具えたこと特徴とする上記（５）記載の簡易シーケンシャルＵＩ印刷処理方法。
【００１５】
（７）前記、印刷実行するステップにおいて、印刷を実行したときの簡易ＵＩにおけるそれぞれの設定項目を記録しておき、次回の簡易ＵＩによる印刷実行時に、それぞれのＵＩを表示したときの初期値とするステップをさらに具えたこと特徴とする上記（５）又は（６）記載の簡易シーケンシャルＵＩ印刷処理方法。
【００１６】
（８）前記、印刷命令実行時に印刷品質設定ＵＩを表示するステップにおいて、印刷命令実行時に印刷設定モード指定ＵＩを表示して簡易ＵＩが選択されたか判別するステップと、簡易ＵＩが選択されなかったとき、通常の詳細ＵＩを表示するステップをさらに具えたこと特徴とする上記（５）乃至（７）のいずれか記載の簡易シーケンシャルＵＩ印刷処理方法。
【００１７】
（９）コンピュータに接続されたプリンタ装置で、ＯＳとプリンタドライバによって、使用者がプリンタドライバのＵＩを使って印刷物を出力するプリンタドライバの処理において、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段と印刷実行する手段を有する簡易シーケンシャルＵＩ印刷処理方法制御プログラムを記録したことを特徴とする媒体。
【００１８】
（１０）前記、印刷命令実行時に印刷品質設定ＵＩを表示する手段と、カラー／モノクロ印刷設定ＵＩを表示する手段と、印刷用紙サイズ設定ＵＩを表示する手段と、印刷部数設定ＵＩを表示する手段において、それぞれの設定ＵＩで以前に設定した項目に戻る手段をさらに具えた簡易シーケンシャルＵＩ印刷処理方法制御プログラムを記録したこと特徴とする上記（９）記載の媒体。
【００１９】
（１１）前記、印刷実行する手段において、印刷を実行したときの簡易ＵＩにおけるそれぞれの設定項目を記録しておき、次回の簡易ＵＩによる印刷実行時に、それぞれのＵＩを表示したときの初期値とする手段をさらに具えた簡易シーケンシャルＵＩ印刷処理方法制御プログラムを記録したことを特徴とする上記（９）又は（１０）記載の媒体。
【００２０】
（１２）前記、印刷命令実行時に印刷品質設定ＵＩを表示する手段において、印刷命令実行時に印刷設定モード指定ＵＩを表示して簡易ＵＩが選択されたか判別する手段と、簡易ＵＩが選択されなかったとき、通常の詳細ＵＩを表示する手段をさらに具えた簡易シーケンシャルＵＩ印刷処理方法制御プログラムを記録したこと特徴とする上記（９）乃至（１１）のいずれか記載の媒体。
【００２１】
この発明による作用として、必要最低限の設定項目をシーケンシャルに指定することで、確実に設定項目を指定することができ、また設定項目の指定を何度もやり直しが可能で、さらに設定項目をシーケンシャルに全て指定したときのみ、印刷処理の実行が可能となるため、初めての印刷処理時においても確実にユーザの望んだ出力結果を得ることができる。
【００２２】
【発明の実施の形態】
〔実施例〕
以下画面を参照して本発明に係る一実施例を詳細に説明する。
【００２３】
図１は本実施例の画像処理印刷方法が適用される情報処理システムの構成の一例を示すブロック図である。
【００２４】
図１において、１は中央処理装置で、上記プログラムおよび関連データが記憶されているＦＤ，ＣＤ−ＲＯＭ，ＩＣメモリカード等の記憶媒体をシステムに接続された媒体読取装置６から読み込み、補助記憶装置３から主記憶装置２にロードされたＯＳやワープロや表計算といったアプリケーションソフトウエア（以下、アプリケーション）によって、入力装置４から入力される情報を処理して、出力装置５やプリンタ７に出力する。なお、本実施例では、出力装置５はディスプレイなどの表示装置とし、本来出力装置に含まれるプリンタ７と区別する。また、入力装置４はキーボード、ポインティングデバイス等で構成されているものとする。さらに補助記憶装置３は、ハードディスク、光磁気ディスクで構成されるものであってもいいし、これらの組み合わせで構成されるものであってもよい。また、それぞれの装置がネットワークを介して接続されていようとも、この発明を制約するものではない。
【００２５】
図２は、媒体読取装置記憶装置に格納されていた簡易シーケンシャルＵＩ印刷処理方法制御プログラムと関連するデータが中央処理演算装置に読み込まれ、入力装置４から印刷命令が入力されて、プリンタ７へデータを送り印刷するまでの概念図をあらわす。アプリケーション、ドライバともＯＳの制御下で機能する。
【００２６】
図３は、本実施例の簡易シーケンシャルＵＩ印刷処理方法で印刷命令実行時表示される印刷設定モード指定ＵＩを表したものである。ここで、詳細ＵＩ設定もしくは簡易ＵＩ設定を選択しＯＫボタンを押下する。
【００２７】
図４は、本実施例の簡易シーケンシャルＵＩ印刷処理方法で、印刷設定モード指定ＵＩで詳細ＵＩ設定を選択したときに表示されるプリンタドライバの詳細設定ＵＩを表したものである。ここでは、印刷処理の多機能化に伴い、さまざまな機能の設定し、印刷処理を実行することができる。
【００２８】
図５は、本実施例の簡易シーケンシャルＵＩ印刷処理方法で、印刷設定モード指定ＵＩで簡易ＵＩ設定を選択したときに表示されるプリンタドライバの印刷品質設定ＵＩを表したものである。ここでは、きれいな出力結果が得たいときは高品質印刷をチェックし、早く出力結果が得たいときは高速印刷をチェックする。
【００２９】
図６は、本実施例の簡易シーケンシャルＵＩ印刷処理方法で、印刷設定モード指定ＵＩで簡易ＵＩ設定を選択したときの最後に表示される印刷部数設定ＵＩを表したものである。ここで必要な出力枚数を印刷し、印刷ボタンを押下することで印刷処理が開始される。
【００３０】
図７は、この簡易シーケンシャルＵＩ印刷処理方法制御プログラムおよび関連データがＦＤを介してコンピュータにロードする状態を示している。このＦＤを媒体読取装置６にセットすると、主記憶装置２に読み込まれているＯＳおよび基本Ｉ／Ｏプログラムの制御の基に本簡易シーケンシャルＵＩ印刷処理方法制御プログラムおよび関連データがＦＤから読み出され、主記憶装置２にロードされたときに動作が可能となる。
【００３１】
図８は、本簡易シーケンシャルＵＩ印刷処理方法制御プログラムがＦＤに格納されているメモリマップを示す。
【００３２】
図９は、ＦＤに格納されていた簡易シーケンシャルＵＩ印刷処理方法制御プログラムが、媒体読取装置６を介して、補助記憶装置３から主記憶装置２にロードされたときのメモリマップを示す。
【００３３】
本実施例では、ＦＤから本簡易シーケンシャルＵＩ印刷処理方法制御プログラムを直接、補助記憶装置３を介して主記憶装置２に読み込んで実行する例を示したが、本簡易シーケンシャルＵＩ印刷処理方法制御プログラムをＦＤなどの記憶媒体からＨＤなどの補助記憶装置３にセーブしておき、実行するときに主記憶装置２に読み込む形態をとってもよい。
【００３４】
また、本簡易シーケンシャルＵＩ印刷処理方法制御プログラムを記録する媒体は、ＦＤ、ＨＤ以外にも、光磁気ディスクやＣＤ−ＲＯＭ、ＩＣメモリカード等であってもよい。また、本簡易シーケンシャルＵＩ印刷処理方法制御プログラムをＲＯＭ８に記憶しておくことも可能である。
【００３５】
簡易シーケンシャルＵＩ印刷処理方法は図１０に示される簡易シーケンシャルＵＩ印刷処理方法のフローチャートに基づいてプログラム化されたものである。以下、図１０のフローチャートを参照しながら本発明に係る簡易シーケンシャルＵＩ印刷処理方法について説明する。
【００３６】
まず、図１の入力装置４から、印刷処理を実行するように命令が入力されると、図１の補助記憶装置３から図１の主記憶装置２上に読み込まれたＯＳ、プリンタドライバやアプリケーション（図２）のうち、ＯＳがそのメッセージを受け取る。ＯＳはプリンタドライバに印刷処理が開始されたことを知らせるメッセージを送る。
【００３７】
図１０において、アプリケーションは、印刷設定モード指定ＵＩを表示するステップ（１０−１）と、簡易ＵＩが選択されたか判別するステップ（１０−２）と、詳細ＵＩ表示が選択されたときに、詳細ＵＩを表示するステップ（１０−３）と、簡易ＵＩ表示が選択されたときに、印刷品質設定ＵＩを表示するステップ（１０−４）と、印刷品質設定ＵＩにおいて［戻る］ボタンが押下されたか判別するステップ（１０−５）と、印刷品質設定ＵＩで［ＯＫ］が押されたとき、カラーモノクロ設定ＵＩを表示するステップ（１０−６）と、カラーモノクロ設定ＵＩにおいて［戻る］ボタンが押下されたか判別するステップ（１０−７）と、カラーモノクロ設定ＵＩで［ＯＫ］が押されたとき、印刷用紙サイズ設定ＵＩを表示するステップ（１０−８）と、印刷用紙サイズ設定ＵＩにおいて［戻る］ボタンが押下されたか判別するステップ（１０−９）と、印刷用紙サイズ設定ＵＩで［ＯＫ］が押されたとき、印刷部数設定ＵＩを表示するステップ（１０−１０）と、印刷部数設定ＵＩにおいて［戻る］ボタンが押下されたか判別するステップ（１０−１１）と、印刷部数設定ＵＩにおいて［印刷］ボタンが押下されたか判別するステップ（１０−１２）と、印刷部数設定ＵＩにおいて［印刷］ボタンが押下されたとき印刷処理を実行するステップ（１０−１３）と、印刷処理実行時の簡易ＵＩ設定項目を保存し、次回の簡易ＵＩによる印刷実行時に、それぞれのＵＩを表示したときの初期値とするステップ（１０−１４）を有する。
【００３８】
【発明の効果】
この発明による効果として、必要最低限の設定項目をシーケンシャルに指定することで、確実に設定項目を指定することができ、また設定項目の指定を何度もやり直しが可能で、さらに設定項目をシーケンシャルに全て指定したときのみ、印刷処理の実行が可能となるため、初めての印刷処理時においても確実にユーザの望んだ出力結果を得ることができる。
【図面の簡単な説明】
【図１】本実施例の画像処理印刷方法が適用される情報処理システムの構成の一例を示すブロック図
【図２】本簡易シーケンシャルＵＩ印刷処理方法制御プログラムと関連するデータが、媒体読取装置記憶装置に格納されていたデータが中央処理演算装置に読み込まれ、入力装置から印刷命令が入力されて、プリンタへデータを送り印刷するまでの概念図
【図３】本簡易シーケンシャルＵＩ印刷処理方法で印刷命令実行時表示される印刷設定モード指定ＵＩを表した図
【図４】本簡易シーケンシャルＵＩ印刷処理方法で表示される詳細設定ＵＩを示す図
【図５】本簡易シーケンシャルＵＩ印刷処理方法で、印刷設定モード指定ＵＩで簡易ＵＩ設定を選択したときに表示されるプリンタドライバの印刷品質設定ＵＩを示す図
【図６】本簡易シーケンシャルＵＩ印刷処理方法で、印刷設定モード指定ＵＩで簡易ＵＩ設定を選択したときの最後に表示される印刷部数設定ＵＩを示す図
【図７】本簡易シーケンシャルＵＩ印刷処理方法制御プログラムおよび関連データがＦＤを介してコンピュータにロードする状態を示ず図
【図８】本簡易シーケンシャルＵＩ印刷処理方法制御プログラムがＦＤに格納されているメモリマップを示す図
【図９】ＦＤに格納されていた本簡易シーケンシャルＵＩ印刷処理方法制御プログラムが、媒体読取装置を介して、補助記憶装置から主記憶装置にロードされたときのメモリマップを示す図
【図１０】本発明の形態に係る画像処理装置の簡易シーケンシャルＵＩ印刷処理方法の一実施例をあらわすフローチャート
【符号の説明】
１  中央処理装置
２  主記憶装置
３  補助記憶装置
４  入力装置
５  出力装置
６  媒体読取装置
７  プリンタ
８  ＲＯＭ
【図１】
2004342025.tif 000003
【図２】
2004342025.tif 000004
【図３】
2004342025.tif 000005
【図４】
2004342025.tif 000006
【図５】
2004342025.tif 000007
【図６】
2004342025.tif 000008
【図７】
2004342025.tif 000009
【図８】
2004342025.tif 000010
【図９】
2004342025.tif 000011
【図１０】
2004342025.tif 000012